(57)【要約】本明細書では、リアルタイムでの公演の宣伝方法に関するもので、より詳細には、公演広報のためのユーザーインターフェイスを提供し、公演情報関連のデータベースが構築されているサーバーによって行われ、携帯端末に提供されるユーザーインターフェイスを使用して公演関係者、公演関連会社またはユーザーから会員登録情報の提供を受け、会員を認証するステップと、公演広報をしようとする公演関係者や公演関連企業から手数料の支払い受けるステップ、公演関係者や公演関連会社から公演の情報の入力を受け、ユーザーに公演情報を提供するステップと、公演情報を閲覧したユーザーが公演観覧を要求した場合の公演のチケット情報を提供するステップを含んで構成されるが、上記提供されている公演情報は公演観覧招待券が含まれ、上記公演の観覧招待券は、所定のゲームイベントを通じて支給されることを特徴とする、リアルタイムでの公演広報の方法を提供する。
2016508255.tif 000002
【特許請求の範囲】
【請求項１】
公演広報のためのユーザーインターフェイスを提供して、公演情報関連のデータベースが構築されているサーバーによって行われ、モバイル端末に提供されるユーザーインターフェイスを使用して公演関係者、公演関連会社またはユーザーから会員登録情報の提供を受け、会員を認証するステップと、公演広報をしようとする公演関係者や公演関連企業から手数料を支払い受けるステップ、公演関係者や公演関連会社から公演の情報の入力を受け、ユーザーに公演情報を提供するステップと、公演情報を閲覧したユーザーが公演観覧を要求している場合は、チケット情報を提供する段階、を含んで構成されるが、上記提供されている公演情報は公演観覧招待券が含まれ、上記公演の観覧招待券は、所定のゲームイベントを通じて支給されることを特徴とするリアルタイム公演広報の方法。
【請求項２】
第１項において、上記公演情報を提供するステップで、上記公演情報は、ユーザーインターフェイスを介して任意に指定された言語に翻訳されたものであることを特徴とするリアルタイム公演広報の方法。
【請求項３】
公演情報を閲覧できるようにするユーザーインターフェイスがインストールされて、モバイル端末と、上記モバイル端末と有線または無線ネットワークによって接続され、前記携帯端末に公演広報のためのユーザーインターフェイスを提供して公演情報関連のデータベースが構築されているサーバーで構成され、上記公演情報はサーバーによってリアルタイムで更新され、モバイル端末で提供されていることを特徴とするリアルタイム公演広報の方法。
【発明の詳細な説明】
【技術分野】
【０００１】本明細書は、リアルタイムの舞台芸術、映画公演の宣伝方法に関するものです。より詳細には、公演広報のためのユーザーインターフェイスの提供を、公演情報関連のデータベースが構築されているサーバーによって行い、ユーザーインターフェイスを使用して公演関係者、または公演関連企業が公演情報を登録し、ユーザーは上記公演情報を閲覧することができるという公演の宣伝方法に関するものである。
【背景技術】  ［２］近年、生活環境が豊かになり、生活水準が高まり、衣食住を重視していた以前の生活パターンから、より多様で豊かになった人間の福祉を追求する生活パターンに変化している。つまり、衣食住以外の余暇活動へ関心が徐々に高まっており、これらの余暇活動は非常に様々なパターンで展開されており、いくつかのレジャー活動の中の公演、映画など文化コンテンツへの関心も非常に高まっているのが実情である。
［３］併せて、以前に比べて、国内外の交流がより活発化し、海外観光の需要も高まっており、また、多くの外国人観光客が来韓して韓国を知ることができる機会とその必要性が徐々に台頭している。
［４］このような環境下で、文化コンテンツ産業に従事する人口も増えてきており、様々な文化コンテンツに接することができる機会も豊富に構築されている。
［５］しかし、他の産業分野と同様に、文化産業も十分な資金動員力を持つ大企業によって主導されている領域と、小規模零細企業や個人によって主導されている領域が明確に二極化されている。
［６］したがって、小規模零細企業や個人によって生産された文化コンテンツの優れた品質の作品が正しく広報されずに公演期間が終了することもある。このことは、これらの優秀な文化コンテンツを享受しようとする文化、利用者側にとっても大きな損失となる。
［７］一方、来韓する外国人観光客に韓国を最もよく知ってもらうことができる手段は、我が国の固有の文化を知ってもらう方法、すなわち固有の文化は、公演の形で製作することができる。また、独自の文化だけでなく、我が国固有の文化が底辺に敷かれた多様な形態の公演情報を、外国人観光客が簡単に接することができるよう、集める必要がある。しかし、今のところ、このように公演情報に代表される文化情報を体系的で、リアルタイムで提供することができる方法が非常に整備されていない問題がある。
【発明の詳細な説明】
【課題】
［８］本明細書は、前述したような問題点を解決するためになされたものであって、本明細書の発明の目的は、公演情報をリアルタイムで接することができるように、モバイル端末上でインターフェイスを提供し、携帯性を高め、上記インターフェースを介して様々な公演情報を提供することで、ユーザーが公演情報をリアルタイムで簡単に取得することができるようにする方法を提供することである。
［９］本明細書の他の目的は、小規模または零細な公演関係者や公演関連企業が公演広報費用を最小限に抑え、自分の公演の広報を、容易かつ十分に促進することができるようにする方法を提供することである。
［１０］本明細書の別の目的は、来韓する外国人観光客や内国在住外国人に対し、自国の言語で提供される様々な公演情報を、リアルタイムで提供することにより、韓国への理解を正しく促進することができる手段を提供することである。
［１１］本明細書の別の目的は、インターフェースを使用するユーザーがイベント趣旨のゲームを実行することにより、公演のチケットを獲得することができ、したがって、公演関係者や公演関連会社の立場では、公演の効果的な広報が可能で、ユーザーの立場では、気軽に公演を観覧できるようにする方法を提供することである
［１２］本明細書の別の目的は、インターフェースが実行されているモバイル端末の位置を確認し、その位置と隣接する位置で上演されている公演情報を提供することで公演広報の効果を高めることができるようにする方法を提供することである。
［１３］本明細書の別の目的は、世界各国からインターフェースを介して公演の鑑賞が促進されるため、外国で公演情報を閲覧することが可能で、モバイル端末がどの国で使用されようが関係なく、その国の近隣の場所で上演されている公演情報を簡単に得ることができ、これにより、その公演を容易に鑑賞することができる方法を提供することである。
【技術解決方法】
［１４］本明細書では、前述した目的を達成するために、公演情報関連のデータベースが構築されているサーバーによって、公演広報のためのユーザーインターフェイスを提供する。携帯端末に提供されるユーザーインターフェイスを使用して公演関係者、公演関連会社またはユーザーから会員登録情報の提供を受け、会員を認証するステップと、公演広報を行おうとする公演関係者や公演関連企業から手数料の支払い受けるステップ、公演関係者や公演関連会社から公演の情報の入力を受け、ユーザーに公演情報を提供するステップ、公演情報を閲覧したユーザーが公演観覧を要求した場合の公演のチケット情報を提供するステップ、を含んで構成されるが、上記提供されている公演情報には公演観覧招待券が含まれ、上記公演の観覧招待券は、所定のゲームイベントをを通じて支給されることを特徴とする、リアルタイムの公演の宣伝方法を提供する。
［１５］上記公演情報を提供するステップで、上記公演情報は、ユーザーインターフェイスを介して任意に指定された言語に翻訳されていることが望ましい。
［１６］また、本明細書の発明によって、公演情報を閲覧し、公演予約またはチケットの前売りを実行できるようにするユーザーインターフェイスは、モバイル端末にインストールした上で、有線または無線ネットワークによって接続することで、携帯端末に公演広報のためのユーザーインターフェイスが提供される。ユーザーインターフェイスは、公演情報関連のデータベースが構築されているサーバーで構成され、上記公演情報はサーバーによってリアルタイムで更新され、モバイル端末で提供されることを特徴とするリアルタイムでの公演広報手段を提供する。
【有効な効果】
［１７］以上のような本明細書の発明によると、公演情報をリアルタイムで接することができるように、モバイル端末上でのインターフェイスを提供し、携帯性を高め、上記インタフェースを介して様々な公演情報を提供することで、ユーザーが公演情報をリアルタイムで簡単に取得することができる効果が期待される。
［１８］また、小規模または零細な公演関係者や公演関連企業が公演広報費用を最小限に抑える範囲で、自分の公演を容易かつ十分に広報することができるようにする効果が期待される。
［１９］また、来韓する外国人観光客や内国在住外国人が自国の言語で提供されている様々な公演情報を、リアルタイムで提供されることにより、韓国への理解を正しく促進することができる効果が期待される。
［２０］また、ユーザーインターフェイスを利用するユーザーがイベント趣旨のゲームを実行することにより、公演のチケットを獲得することができ、したがって、公演関係者や公演関連会社の立場では、公演の効果的な広報が可能で、ユーザーの立場では、気軽に公演を鑑賞できるようにする効果が期待される。
［２１］また、ユーザーインターフェイスが実行されているモバイル端末の位置を確認し、その位置と隣接する位置で上演されている公演情報を取得することで、公演広報を高めることができる効果が期待される。
［２２］また、世界各国からインターフェースを介して公演の広報が促進されるため、外国で公演情報を閲覧することが可能で、モバイル端末がどの国で使用されようが関係なく、その国の近隣の場所で上演される公演情報を簡単に取得することができ、これにより、外国観光時、その国の公演を容易に観覧することができる効果が期待される。これにより、共演者たちは、自分の公演を世界中に知らせることができ、国際的な文化交流に資することができる。
【図面の簡単な説明】  ［２３］［図１］は、本明細書の一実施形態に係る「リアルタイム公演広報の方法」を示した概念図である。
［２４］［図２］は、本明細書の一実施形態に係る「リアルタイム公演広報の方法」を示したフローチャートである。
【発明を実施するための形態】
［２５］以下では、本発明を実施例をもとに、より詳細に説明する。
［２６］図１は、本明細書の一実施形態に係る「リアルタイム公演広報の方法」を示した概念図である。
［２７］上記「リアルタイム公演広報の方法」は、以下の手順によって行われる。
［２８］まず、公演情報をリアルタイムで提供を受けるためには、公演情報を受信するためのユーザーインターフェイスが必要であり、このようなインターフェイスは、有料または無料で公演情報を提供しているオペレーティング・サーバーから、有線または無線手段を利用して、ユーザーの携帯端末にダウンロードしてインストールしなければならない。
［２９］近年、使用されているモバイル端末は、スマートフォンであり、スマートフォンには、いわゆる「アプリ」の形でインターフェースが提供されるため、ここでは、携帯端末は、スマートフォンと同義語として使用する。
［３０］上記携帯端末に搭載されるユーザーインターフェースは、オペレーティングサーバーに構築されたシステムと有線または無線ネットワーク手段によって接続され、前記サーバに設けられた会員登録モジュール、会員認証モジュール、お支払購入モジュール、外国語翻訳モジュール、イベント提供モジュールなどと連動されている。
［３１］前記ユーザーインターフェースは、公演情報を提供するために、公演の観覧を望んでいるユーザーまたは公演関係者が端末にインストールして運用する。
［３２］ユーザーは、前記ユーザーインターフェースを使用することで、公演情報をリアルタイムで提供される。位置追跡手段を介してユーザー端末が位置されているところと、隣接するところで上演または上演予定されている公演情報のみ特別に提供される。
［３３］また、ユーザーは、公演情報から公演を閲覧するため、チケットを発券したり、招待券を受領することができるように、ユーザーインターフェイスを運用することができる。
［３４］また、公演関係者は、ユーザーインターフェイスを使用して、公演情報を生成、サーバーに提供することができ、公演と関連した各種コンテンツを公演情報制作およびアップロードモジュールを介して作成し、アップロードすることができる。
［３５］ユーザーインターフェイスを利用するにあたり、公演関係者が、公演情報をアップロードすることはサーバーにとって負荷となるが、公演関係者はここから収益が得ることができるので、サーバーでは、公演関係者に課金することができることとする。これらの課金は、公演関係者が公演情報を提供して、自分の公演を広報することができる広報マーケティング費用に該当するものである。たとえば上記公演関係者が使用するユーザーインターフェースは、公演情報を入力することができるアプリとして、リアルタイムでの公演情報を写真などの広報物と一緒にアップロードすることができる。この時、公演関係者は、公演をアップロードすると、一定の金額（例えば、５，０００円）を支払って、招待券（例えば、５，０００円）を一緒にアップロードすると、それに伴う価格（例：１０，０００円）を支払う。
［３６］上記で提供されている公演情報には公演観覧招待券が含まれているが、上記公演の観覧招待券は、有償または無償の方法で獲得することができ、公演関係者は、一実施例として、公演関係者が提供する所定のゲームイベントを通じて支給することができる。
［３７］ここで、運用されているゲームイベントは、例えば、「ヘキサ」、「クロスワードパズル」ゲームなどであるが、ゲームの種類、ゲームの運用方法は上記以外にも多様に提供することができる。招待券の支払いのためのゲームイベントの基準も多様に用意される。
たとえば、招待券を配布する公演に関する招待券獲得ゲームが提示されると、ユーザーは招待券を得るためにゲームを実行する。この時、特定のユーザーがあらかじめ定義された条件（例えば、５０，０００点）を満たしており、先着順での連絡先（電子メールなど）、個人情報などを登録すると、所定の招待券を獲得することができる。例えば、１等は招待券２枚、２等〜５等は１０％〜４０％の割引券を獲得することができ、上記割引券は公演招待（入場）時に使用されるか、または所定のショッピングモールで商品購入に使用することができる。
この時、前記ショッピングモールは、その公演と関連するアクセサリー、Ｔシャツ、その他のアイテムなどが販売されているショッピングモールにすることができ、上記アクセサリー、Ｔシャツ、アイテムは、その公演の特徴的キャラクターや、または伝統文化様式が形象化／印刷されたものにすることも可能である。
［３８］一方、本明細書の公演広報のためのユーザーインターフェイスでは、外国人や外国語で表示された公演情報を閲覧しようとする韓国人が、その外国語で提供される公演情報を閲覧できるようにするために外国語（たとえば、日本語、英語、中国語、ドイツ語、フランス語など）の翻訳情報を提供する。これらの外国語翻訳については、ユーザーインターフェイスに搭載されている翻訳モジュールを介して提供することができ、サーバーに用意された翻訳モジュールが運用されるように、Ｗｅｂ上で行うこともできる。
［３９］一方、外国で観光している韓国人や他の国の国民のために、その国の観光コースで観光地隣接地域で上演または上演予定されている公演情報を閲覧できるようにするために、ＧＰＳ手段などを利用して、モバイル端末の位置追跡をすることができ、その国の地図を縮尺を変えて提供することができる。
［４０］つまり、地図中のその会場の位置をメタ検索することができ、または、搭載された地図検索モジュールなどを利用して直接検索することが可能である。
［４１］このような地図検索サービスは、どの国を問わず提供することができ、その地図上で使用される言語は、ユーザー端末またはサーバに設けられた翻訳モジュールによって、その国の言語や任意指定された言語に翻訳、提供されることがある。
［４２］図２は、本明細書の一実施形態に係る「リアルタイム公演広報の方法」を示したフローチャートである。
［４３］上記「リアルタイム公演広報の方法」は、公演広報のためのユーザーインターフェイスを介して、公演情報関連のデータベースが構築されているサーバーによって行うことができる。上記サーバーは、モバイル端末に提供されるユーザーインターフェイスを使用して公演関係者、公演関連会社またはユーザーから会員登録情報の提供を受け、会員を認証する（Ｓ２１０）。
［４４］上記サーバーは、公演の宣伝をしようとする公演関係者や公演関連企業から手数料の支払いを受ける（Ｓ２２０）。上記サーバーは、公演関係者や公演関連会社から公演の情報の入力を受け、ユーザーに公演情報を提供する（Ｓ２３０）。
［４５］上記サーバは、公演情報を閲覧したユーザーが公演観覧を要求した場合の公演観覧料金を決済し、チケット情報を提供する（Ｓ２４０）。この時、前記提供されている公演情報は公演観覧招待券が含まれ、上記公演の観覧招待券は、所定のゲームイベントを通じて支給することができる。
［４６］一方、上記Ｓ２３０段階で、上記公演情報は、ユーザーインターフェイスを介して任意に指定された言語に翻訳することができる。
［４７］以上のように、本発明をいくつかの実施例をもとに説明したが、上記実施例は、本発明の保護範囲を限定して解釈するための手段ではなく、本発明の保護範囲は、特許請求の範囲によって解釈する必要があるとするものである。
【図１】
2016508255.tif 000003
【図２】
2016508255.tif 000004
【国際調査報告】
2016508255.tif 000005
2016508255.tif 000006
2016508255.tif 000007
2016508255.tif 000008